(57)【要約】  開口部（３）を備えた容器であって、前記開口部が当該容器本体を貫通する軸（Ａ）を規定している容器本体（１）と、上部（６）及び開口部（３）を閉塞するためのこれから垂下するスカート部（７）を有するキャップ（２）と、を備える容器であって、容器本体（１）が、開口部（３）を囲んで外方に突出する縁部（４）を有し、キャップが、スカート部（７）の内周を囲んで内方に突出する部材（８）を有し、かつ縁部（４）が、その下部にキャップが容器本体（１）に圧入される際に部材（８）を収容するための複数の離間する凹所（５）を有し、キャップ（２）は、前記部材を搬送するその部分が外方に曲がるにつれてキャップ（２）が縁部（４）を内方に押圧すると部材（８）が縁部の凹所（５）それぞれにスナップ係合するまで、その外周がほぼ多角形状に変形するように構成され、部材（８）及び凹所（５）は、その後の容器本体（１）に対するキャップ（２）の回転がキャップ（２）を縁部（４）に締結するような形状をなす。また、弱化ブリッジ部（１０Ａ、２０Ａ、３０Ａ、４０Ａ）及び／または連結バンド（１０Ｂ、２０Ｂ、３０Ｂ）によりスカート部（７）に接続されたさまざまなタンパーエビデントバンドは、記載されている。
2009515788.tif 000002
【特許請求の範囲】
【請求項１】
開口部を備えた容器本体であって、前記開口部が当該容器本体を貫通する軸を規定している、容器本体と、
前記開口部を閉塞するために、上部及び該上部から垂下するスカート部を有するキャップと、を備え、
前記容器本体が、前記開口部の回りに外方に突出する縁部を有し、
前記キャップが、前記スカート部の内周を囲んで内方に突出する部材を有し、かつ前記縁部が、その下部に前記キャップが前記容器本体に圧入される際に前記部材を収容するための複数の離間する凹所を有し、
前記キャップは、前記部材を搬送するその部分が外方に曲がるにつれて前記キャップが前記縁部を内方に押圧すると前記部材が前記縁部の前記凹所それぞれにスナップ係合するまで、その外周が実質的に多角形状に変形するように構成され、
前記部材及び前記凹所は、その後の前記容器本体に対する前記キャップの回転が前記キャップを前記縁部に締結するような形状をなすことを特徴とする容器。
【請求項２】
前記部材の下面及び前記縁部の上面は、前記縁部が当該容器を軸方向で押圧するにしたがって前記部材が外方に動かされ、前記キャップが弾性的に曲がりかつ前記部材が前記縁部の外径を通り越すような形状をなすことを特徴とする請求項１に記載の容器。
【請求項３】
前記キャップの周回りの方向における前記部材それぞれの長さが、隣接する前記部材間の円周方向間隔よりも小さいことを特徴とする請求項１または２に記載の容器。
【請求項４】
前記部材間の間隔にある前記スカート部の内壁部が、前記キャップの開口端に向けて外方に傾いていることを特徴とする請求項１から３のいずれか１項に記載の容器。
【請求項５】
前記凹所それぞれは、上面並びに第１及び第２端面を有し、
前記上面は、前記第１端面が前記第２端面よりも軸方向で遠方に延在するために傾斜または湾曲していることを特徴とする請求項１から４のいずれか１項に記載の容器。
【請求項６】
前記第２端面が、締結方向における前記キャップの回転を制限する停止部を形成することを特徴とする請求項５に記載の容器。
【請求項７】
前記第１端部が、前記キャップが解放方向で回転するときに前記部材それぞれがスライドする斜面部を形成し、
前記キャップの前記スカート部は、前記部材それぞれが前記縁部の外面における前記凹所それぞれから出るにつれて実質的に多角形に曲がり、
前記キャップが開位置に移動自在となることを特徴とする請求項５または６に記載の容器。
【請求項８】
前記部材それぞれが、径方向で上向きに傾くが周方向で実質的に水平である下面と、
径方向で実質的に水平であるが周方向で傾く上面と、
一方が径方向で横方向に傾きかつ双方が軸方向で実質的に垂直である２つの端面と、
を有することを特徴とする請求項１から７のいずれか１項に記載の容器。
【請求項９】
前記キャップが、弱化接続部により前記スカート部に接続されるタンパーバンドを有することを特徴とする請求項１から８のいずれか１項に記載の容器。
【請求項１０】
前記キャップが前記容器に嵌合するときに、前記タンパーバンドが、前記縁部の底面と係合することを特徴とする請求項９に記載の容器。
【請求項１１】
前記タンパーバンドが、その内面に前記縁部と係合する１以上の突出部を有し、
前記解放方向における前記容器本体に対する前記タンパーバンドの回転により、前記タンパーバンド及び前記スカート部が軸方向で分離し、１以上の前記弱化接続部を破断することを特徴とする請求項１０に記載の容器。
【請求項１２】
前記弱化接続部のすべてが破断されたときであっても前記タンパーバンドが前記キャップに取り付けられたままとするために、少なくとも１つの連結接続部が前記タンパーバンド及び前記スカート部の間に設けられていることを特徴とする請求項１１に記載の容器。
【請求項１３】
１以上の前記突出部は、前記容器本体に対する前記タンパーバンドがさらに回転すると、前記タンパーバンド及び前記キャップが、共に前記容器本体から取外し可能となるものであることを特徴とする請求項１２に記載の容器。
【請求項１４】
１以上の前記突出部は、前記タンパーバンドが前記容器本体に取り付けられたままとなるものであり、
１以上の前記連結接続部は、前記キャップが前記開口部から回転離間可能であるものであることを特徴とする請求項１２に記載の容器。
【請求項１５】
いったん前記キャップが前記開口部から回転離間すると、前記タンパーバンドは、前記開口部よりもさらに離間する位置にスライド可能となり、
前記タンパーバンドをこの位置で保持する係合部材が、前記容器にもうけられていることを特徴とする請求項１４に記載の容器。
【請求項１６】
開口部を備えた容器本体であって、前記開口部が当該容器本体を貫通する軸を規定している、容器本体と、
前記開口部を閉塞するために、上部及び該上部から垂下するスカート部を有するキャップと、を備え、
前記容器本体が、前記開口部の回りに外方に突出する縁部を有し、
前記キャップが、前記スカート部の内周を囲んで内方に突出する部材を有し、かつ前記縁部が、その下部に前記キャップが前記容器本体に圧入される際に前記部材を収容するための複数の離間する凹所を有し、
前記キャップ及び凹所は、それに続いて解放方向において前記容器本体に対して前記キャップが回転すると、前記部材が前記縁部の外面における前記凹所それぞれから外に動かされるにつれて前記キャップが開位置まで移動自在となるまで、前記スカート部の外周が実質的に多角形状に曲がるような形状をなすことを特徴とする容器。
【請求項１７】
前記凹所それぞれは、前記キャップが解放方向で回転するときに前記部材それぞれがスライドする斜面部を形成し、
前記部材が、前記縁部の外面における前記凹所から外に移動し、前記キャップが、開位置に移動自在となることを特徴とする請求項１６に記載の容器。
【請求項１８】
前記スカート部の内面回りにおいて等間隔である２から６の突出部材を有することを特徴とする請求項１から１７のいずれか１項に記載の容器。
【請求項１９】
前記スカート部の内面回りにおいて等間隔である４つの突出部材を有することを特徴とする請求項１８に記載の容器。
【請求項２０】
前記開口部が、２５から３０ｍｍ範囲の直径を有することを特徴とする請求項１から１９のいずれか１項に記載の容器。
【請求項２１】
前記容器本体及び前記キャップ双方が、プラスチック材料で形成されていることを特徴とする請求項１から２０のいずれか１項に記載の容器。
【請求項２２】
前記容器本体が、ガラスで形成され、
前記キャップが、プラスチック材料で形成されていることを特徴とする請求項１から２０のいずれか１項に記載の容器。
【請求項２３】
請求項１から２２のいずれか１項に記載の容器の提供に用いられることを特徴とする容器本体。
【請求項２４】
請求項１から２３のいずれか１項に記載の容器の提供に用いられることを特徴とするキャップ。
【発明の詳細な説明】
【技術分野】
【０００１】
本発明は、容器及び特に消費者に飲料を供給するための容器に関する。本発明は、炭酸及び他の発泡性飲料並びに無炭酸飲料及び他のタイプの飲料または他の材料の保管及び供給のための特定の有用性を有する。
【背景技術】
【０００２】
既知の飲料容器は、金属で形成されたキャップを有するガラスボトルを備える。このキャップは、ボトルの開口部の周囲における縁部にわたって押し付けられている。非常に上出来である一方、この閉塞形式は、ボトルからキャップをこじ開けるために例えばボトルオープナなどの道具を必要とするという欠点を有する。
【０００３】
他の既知の容器の形式は、プラスチックのネジキャップを有するプラスチックボトルを備える。多くの場合、これらキャップは、（螺合されることよりも）ボトルに圧入することによって取り付けられうるが、これらの取り外しは、キャップの螺合解除を必要とし、しばしば３６０°以上キャップを回転する必要がある。このタイプの閉塞は、同様に、ボトルの首部の外側におけるネジ山形成を有することを必要とする。
【発明の開示】
【発明が解決しようとする課題】
【０００４】
本発明は、従来技術に対する代替法を提供しようとする。
【課題を解決するための手段】
【０００５】
本発明の第１の形態において、開口部を備えた容器本体であって、前記開口部が当該容器本体を貫通する軸を規定している、容器本体と、前記開口部を閉塞するために、上部及び該上部から垂下するスカート部を有するキャップと、を備え、前記容器本体が、前記開口部の回りに外方に突出する縁部を有し、前記キャップが、前記スカート部の内周を囲んで内方に突出する部材を有し、かつ前記縁部が、その下部に前記キャップが前記容器本体に圧入される際に前記部材を収容するための複数の離間する凹所を有し、前記キャップは、前記部材を搬送するその部分が外方に曲がるにつれて前記キャップが前記縁部を内方に押圧すると前記部材が前記縁部の前記凹所それぞれにスナップ係合するまで、その外周がほぼ多角形状に変形するように構成され、前記部材及び前記凹所は、その後の前記容器本体に対する前記キャップの回転が前記キャップを前記縁部に締結するような形状をなす容器が提供される。
【０００６】
本発明の第２の形態において、開口部を備えた容器本体であって、前記開口部が当該容器本体を貫通する軸を規定している、容器本体と、前記開口部を閉塞するために、上部及び該上部から垂下するスカート部を有するキャップと、を備え、前記容器本体が、前記開口部の回りに外方に突出する縁部を有し、前記キャップが、前記スカート部の内周を囲んで内方に突出する部材を有し、かつ前記縁部が、その下部に前記キャップが前記容器本体に圧入される際に前記部材を収容するための複数の離間する凹所を有し、前記キャップ及び凹所は、それに続いて解放方向において前記容器本体に対して前記キャップが回転すると、前記部材が前記縁部の外面における前記凹所それぞれから外に動かされるにつれて前記キャップが開位置まで移動自在となるまで、前記スカート部の外周がほぼ多角形状に曲がるような形状をなす容器が提供される。
【０００７】
本発明の他の形態において、このような容器の提供に用いられる容器本体と、このような容器の提供に用いられるキャップとが提供される。
【０００８】
本発明の１つの目的は、王冠の審美性及びネジキャップの利便性を有する容器を提供することである。
【０００９】
本発明の他の目的は、より少ない材料しか用いず、これゆえ従来のプラスチックネジキャップよりも軽量なプラスチックキャップを提供することである。
【００１０】
本発明の好ましいまたは最適な機能は、以下の記載及び明細書の従属項から明確になるだろう。
【発明を実施するための最良の形態】
【００１１】
本発明は、単なる例である添付の図面を参照しながらここでさらに説明されるだろう。
【００１２】
図１及び図２は、ボトル形状の容器であって、容器本体１と容器本体の上端部における開口部３を閉塞するためのキャップ２とを備える容器を示している。開口部は、主として２８ｍｍ程度の直径を有する。
【００１３】
図２は、容器本体１の首部分及び容器本体１に嵌合するための閉塞キャップ２の拡大図である。容器本体の上端における開口部３は、これを貫通する軸Ａを規定する。
【００１４】
容器本体１は、開口部３の周囲に外方突出縁部４を有する。複数（図示の実施形態において４）の離間する凹所５は、縁部４の下部に設けられている。これら凹所５それぞれは、上面５Ａ及び２つの端面５Ｂ及び５Ｃにより規定される。縁部４の上部４Ａは、滑らかで湾曲した外形を有し、その外径は、縁部４の上面４Ｂに向かう位置において減少する。
【００１５】
キャップ２は、上部６であって十分に円形であるスカート部７がそこから垂下された上部６を備える。複数（図示の実施形態において４）の離間する内側突出部材８（図３参照）は、スカート部７の内周面の回りに設けられている。後述するように、部材８は、キャップ２が容器本体１に嵌合されると、凹所５それぞれと係合する。
【００１６】
キャップ２を容器本体１に取り付けるため、キャップ２は、縁部４に押し付けられ、部材８は、上面４Ｂまたはその湾曲面４Ａに係合する。キャップ２が下方に押し付けられると、部材８は、湾曲面４Ａを避けて通り、これによりこれらが縁部の下部に到達して凹所それぞれとスナップ嵌合するまで、この面を乗り越えるために径方向外方に動かされる。
【００１７】
部材８が径方向外方に押しやられるように、キャップ２は、ほぼ多角形状（図示の実施形態において丸角の四辺形状）に変形される。これは、隣接する部材８間の周方向の間隙の長さとスカート部７の弾力性とに起因しうる。部材８間の領域におけるスカート部７の内面は、キャップ２の開口端に向けて傾いており、キャップの開口部の直径は、その開口端に向けて増大する。また、これは、キャップ２の開口端に向けてスカート部７の壁厚を低減させ、この領域におけるキャップの弾力柔軟性を増大させる。また、内面の傾きは、キャップ２が容器本体１に嵌合したときに、スカート部７の内面と縁部の上部４Ａにおける内方にテーパ付けされた外面との間におけるとまり嵌め(snug fit)を確実にすることを補助する。
【００１８】
示されたように、部材８間の間隙は、キャップのスカート部７を多角形状に曲げることを可能とする。好ましくは、周方向における部材８それぞれの長さは、隣接する部材間の周方向の間隙よりも短い。図示の実施形態において、キャップは、２８ｍｍ程度の内径を有し、部材８それぞれは、７〜８ｍｍ程度の円周長さ（それらの最大寸法において）を有し、隣接する部材間の周方向の間隙は、１３〜１４ｍｍ程度である。スカート部７の（上部６からキャップの開口端までの）深さは、（従来の２８ｍｍ直径のネジキャップにおける１０ｍｍ程度の深さと比較して）典型的には５〜６ｍｍ程度となっている。
【００１９】
部材８それぞれは、上面８Ａ、下面８Ｂ、端面８Ｃ及び８Ｄ及び内向面８Ｅを有する。
下面８Ｂは、径方向において上向きに傾いており、すなわちキャップの軸に向けて上向きに傾斜しており、縁部が容器本体に押し付けられると、下面８Ｂは、縁部の湾曲面４Ａと係合し、部材８は、これらが縁部４の下部に向けて表面４Ａを乗り越えるように径方向外方に押し出される。円周方向において、下面８Ｂは、ほぼ水平である。
【００２０】
キャップ２が容器本体１に押し付けられるにしたがって、スカート部がほぼ多角形状に曲げられるように、部材８は、これらが凹所５に達するまで縁部４の外面を乗り越えることができる。そして、スカート部７の弾性がそれをほぼ円形戻し部材が凹所５の上面５Ａの下部で径方向内方に移動するにしたがって、部材８は、凹所５とスナップ嵌合する。
【００２１】
そして、部材の上面８Ａは、凹所の上面５Ａと係合する。図２及び図３に示すように、凹所の上面５Ａは、円周方向に傾斜しており、容器本体１に対してキャップ２が締結方向（図示の実施形態における上面視で時計回り）で回転させる場合に、キャップ２は、容器本体１に締結される。これにより、キャップの上部６の内面及び／またはそのスカート部７の内面は、縁部４の表面４Ａ及び／または４Ｂと封止係合するに至る。
【００２２】
部材８の上面８Ａは、ほぼ径方向で水平であるが、上記締結を増大させるために円周方向で傾斜している。
【００２３】
凹所５の端面５Ｂには、キャップ２が過剰に締結されることを防止するための停止部が設けられている。突出部それぞれの端面８Ｄにおける凹所それぞれの端面５Ｂとの係合は、容器本体１に対する締結方向におけるキャップ２のさらなる移動を防止する。端面８Ｄ及び５Ｂは、共にほぼ垂直であり、共に軸Ａに向けてほぼ径方向に延在する。
【００２４】
キャップ２を開放するため、キャップ２は、容器本体１に対して緩み方向（図示の実施形態における上面視で反時計回り）で回転される。初めに、これは、部材８それぞれを凹所それぞれに沿って端面５Ｂから端面５Ｃに向けて移動させる。凹所の上面５Ａ及び／または部材８の上面８Ａの傾斜により、これは、キャップを軸Ａ方向で容器本体１から離間するように少なくとも短距離（例えば１〜２ｍｍ）移動させることを可能とする。これは、キャップ２及び容器本体の間の封止を解除し、容器本体の通気であって（例えば炭酸飲料による）その中の過剰圧力が開放される通気を可能とする。しかしながら、キャップ２は、いまだ凹所５内での部材８の係合により容器本体１で保持されたままとなる。
【００２５】
解放方向におけるキャップ２のさらなる回転まで、部材それぞれの端面８Ｃは、凹所それぞれの端面５Ｃと係合する。これら表面が共にほぼ垂直であるが傾いているため、キャップ２は回転し、部材８は端面５Ｃを乗り越え、部材８は隣接する凹所５間の領域４Ｃにおける縁部４の外面に到達するまで（スカート部７が再びほぼ多角形状となるため、）径方向外方に動かされる。
【００２６】
上述のように、縁部４の外面が傾いているため、縁部４の直径は、容器本体１の開口端に向けて減少する。その弾力性により、キャップのスカート部７は、ほぼ円形に戻ろうとし、部材８は、縁部４の外面を避けて上方へ通り、これらは、スカート部７がより円形状とされるために径方向内方に移動可能である。これにより、キャップ２は、縁部４まで上がりやすく、それは、軸Ａの方向において容器本体１から離間してさらに移動する。また、これは、部材８が不意に（時計回りで）滑り戻って凹所５と再係合することまたは（反時計回りで）滑り進んで次の凹所５と係合する危険性の低減を補助する。
【００２７】
キャップ２を容器本体１に再嵌合することが望ましい場合、これは、（軸Ａに沿う下向きの力を用いて）キャップ２を縁部４に押し戻し、（キャップ２を縁部に締結することが望ましい場合）時計回りで回転させることで可能となる。
【００２８】
上記記載から、これにより部材８それぞれは、径方向において上向きに傾斜するが円周方向でほぼ水平である下面５Ｂ、径方向においてほぼ水平であるが円周方向において傾斜する上面８Ａ及び一方が径方向において横方向で傾斜し双方が径方向においてほぼ垂直である２つの端面８Ｃ、８Ｄを有することが理解されるだろう。これら４表面は、図３に示すようにほぼ三角形であって内方に面する表面８Ｅの境界を規定する。使用時において、表面８Ｅは、容器１の外面近傍であって凹所５内で位置する。
【００２９】
図４から図８は、本発明の第２の実施形態における容器を示している。これは、図１から図３に示す容器と同様であるが、不正開封防止機能(tamper evident feature)の第１のタイプを有する。図４から図８における容器の部品は、図１から図３における部品と一致しており、同じだが１０だけ増大した参照符号が付されている。
【００３０】
キャップ１２は、キャップ２と同様であるが、そのスカート部１７から垂下するタンパーバンド１０を有する。タンパーバンド１０は、複数（図示の実施形態において１６）の小さい弱化ブリッジ１０Ａ及び複数（図示の実施形態において４）の連結バンド１０Ｂによりスカート部１７に接続されている。複数（図示の実施形態において４）の突出部１０Ｃは、タンパーバンド１０の内面から径方向内方に突出する。
【００３１】
キャップ１２が図５に示す方向Ｄ１において容器１１に押し付けられると、スカート部１７は、部材１８が縁部１４を乗り越えるにしたがってこれらが第１の実施形態のように凹所１５と係合するまでほぼ多角形状に曲がる。さらに、キャップ１２が容器本体１１に押し付けられると、突出部１０Ｃは、縁部１４を乗り越え、いったんキャップ１２が図５に示す方向Ｄ２で回転されると、突出部１０Ｃは、凹所１５間における縁部１４の部分１４Ｃの下面１４Ｄ下に配置される。
【００３２】
縁部１４の下面１４Ｄが円周方向において傾斜しているため、図６に示すようにキャップ１２が方向Ｄ３（解放方向）で回転すると、突出部１０Ｃは、図６における矢印Ｄ４で示すように下方に動かされる。キャップ１２の残りの部分が下方に移動不能であるように（それが縁部１４の上面に係合されるように）、これは、弱化ブリッジ１０Ａの破断をもたらす。
【００３３】
突出部１０Ｃがバンド１０に位置されているため、いったん部材１８が凹所１５に沿ってその端面１５Ｃと係合するために移動し、（スカート部２７をほぼ多角形状に曲げながら）これらを乗り越えて縁部１４の外面に達すると、突出部１０Ｃは、下面１４Ｄに沿って隣接する凹所１５に移動する。そして、キャップ１２は、図７に示すように（連結バンド１０Ｂによりそこに接続されたタンパーバンド１０と共に）方向Ｄ５において取外し自在であり、図８に示すように容器本体１１から分離される。
【００３４】
図９から図１３は、本発明の第３の実施形態における容器を示している。これは、図１から図３に示された容器と同様であるが、第２のタイプの不正開封防止機能を有する。図９から図１３における容器の部品は、図１から図３における部品と一致しており、同じだが２０だけ増大した参照符号が付されている。
【００３５】
キャップ２２は、キャップ２と同様であるが、そのスカート部２７から垂下するタンパーバンド２０を有する。タンパーバンド２０は、複数（図示の実施形態において２０）の小さい弱化ブリッジ２０Ａ及び単一の連結バンド２０Ｂによりスカート部１７に接続されている。タンパーバンドの下部２０Ｄが（図１０における矢印Ｂで示されるように）内側に折り曲げられているため、その上向きに面する端部２０Ｅは、タンパーバンド２０の内面から径方向内方にその内側円周全体で突出する。
【００３６】
キャップ２２が図１１に示す方向Ｄ１において容器本体２１に押し付けられると、部材２８が縁部２４を乗り越えるにしたがって第１の実施形態のように部材２８が凹所２５と係合するまで、スカート部２７は曲げられる。さらに、キャップ２２が容器本体２１に押し付けられて縁部２４の下面２４Ｄの下でスナップ嵌合すると、タンパーバンド２０の端部２０Ｅは、縁部２４を乗り越える。下面２４Ｄは、図９から図１３における円周方向で傾斜して示されているが、本実施形態において、これらは同様に水平となってもよい。キャップ２２は、図１１に示す方向Ｄ２で回転され、第１の実施形態のように容器１１に締結される。
【００３７】
キャップ２２が解放方向で回転されると、部材２８は、（スカート部２７をほぼ多角形状に曲げながら）凹所２５の端面２５Ｃを乗り越え、上部２６及びスカート部２７は、第１の実施形態のように上方に移動できるが、タンパーバンド２０は、縁部２４の下面２４Ｄの下における部分２０Ｄの端部２０Ｅの係合により、そのようになることを防止される。これにより、弱化ブリッジ２０Ａは破断するが、タンパーバンド２０は、連結バンド２０Ｂによりキャップ２２の残部に接続されたままとなる。そして、タンパーバンド２０は、図１２に示す方向Ｄ６において容器本体２１の外面を滑り降り自在である一方、キャップの残部は、矢印Ｃにより示されるように開口部２３から回転離間する。
【００３８】
円形リッジ２１Ａは、容器本体２１の首部の回りに設けられており、タンパーバンド２０は、円形リッジ２１Ａを通過して降下でき、直立部２０Ｄの端部２０Ｅは、リッジ２１Ａを通過してその下で捕らえられ、タンパーバンドは、（図１２に示すように）この位置で保持される。これにより、容器本体から飲料を注ぐために容器本体が傾けられたときに、タンパーバンドが開口部２３に向けて滑り戻ることが防止される。しかしながら、連結部２０Ｂが十分な長さを有しているため、キャップ２２は、縁部２４にわたって再び押下げること（及び所望なら堅く締め付けること）により、（図１３に示すように）容器本体２１に再嵌合できる。
【００３９】
図１４から図１９は、本発明の第４の実施形態における容器を示している。これは、図１から図３に示された容器と同様であるが、第３のタイプの不正開封防止機能を有する。図１４から図１９における容器の部品は、図１から図３における部品と一致しており、同じだが３０だけ増大した参照符号が付されている。本実施形態における容器本体は、ガラスで形成されることに適している（同様にプラスチックで形成されてもよい）。
【００４０】
キャップ３２は、キャップ２と同様であるが、そのスカート部３７から垂下するタンパーバンド３０を有する。タンパーバンド３０は、複数（図示の実施形態において８）の小さい弱化ブリッジ３０Ａ及び複数（図示の実施形態において４）の連結バンド３０Ｂによりスカート部３７に接続されている。複数（図示の実施形態において８）の突出部３０Ｃは、タンパーバンド３０の内面から径方向内方に突出している。
【００４１】
容器本体３１は、第１の実施形態における容器本体と同様であるが、さらに複数（図示の実施形態において８）の突出部３１Ａであって外方に突出する縁部３４の下部であって縁部３４から離間した位置において本体３１の外壁部から径方向外方に突出する突出部３１Ａを有する。
【００４２】
キャップ３２が容器本体３１に押し付けられると、内方に突出する部材３８（図示略）が第１の実施形態のように凹所３５と係合するまで部材３８が縁部３４を乗り越えるにしたがって、スカート部３７は、ほぼ多角形状に曲がる。さらに、キャップ３２が容器本体３１に押し付けられると、突出部３０Ｃは、縁部３４を乗り越え、いったんキャップ３２が締結方向に回転されると、突出部３０Ｃは、上述した突出部３１Ａの高さに位置される。
【００４３】
キャップ３２が解放方向に回転されると、キャップ３２の突出部３０Ａは、容器本体３１の突出部３１Ａと係合し、容器本体３１に対するタンパーバンド３０の回転を停止する。したがって、解放方向におけるキャップ３２のさらなる回転により、弱化ブリッジ３０Ａが破断し、キャップ３２の部材３８（図示略）が容器本体３１の縁部３４における凹所３５から出る。連結バンド３０Ｂは、この相対的回転の間、図１６で示されるように蛇腹状に折り畳まれる。そして、キャップ３２は、容器本体３１から取外し自在となる。タンパーバンド３０は、連結バンド３０Ｂによりキャップ３２に接続されたままとなり、これにより図１７及び図１８に示すようにキャップ３２と共に取り外される。
【００４４】
図１９から図２１は、本発明の第５の実施形態における容器を示している。これは、図１から図３に示された容器と同様であるが、第４のタイプの不正開封防止機能を有する。図１９から図２１における容器の部品は、図１から図３における部品と一致しており、同じだが４０だけ増大した参照符号が付されている。
【００４５】
キャップ４２は、キャップ２と同様であるが、そのスカート部４７から垂下するタンパーバンド４０を有する。タンパーバンド４０は、複数（図示の実施形態において８）の小さい弱化ブリッジ４０Ａによりスカート部４７に接続されている。複数（図示の実施形態において４）の突出部４０Ｃは、タンパーバンド４０の内面から径方向内方に突出する。
【００４６】
容器本体４１は、第１の実施形態における容器本体と同様であるが、さらに複数（図示の実施形態において２）の突出部４１Ａであって外方に突出する縁部４４（図１９及び図２１参照）の下であって縁部４４から離間する位置における本体４１の外壁部から径方向外方に突出する突出部４１Ａを有する。本実施形態において、溝部４１Ｂは、ブロー成形ツールによる把持のために容器の壁部に設けられている。この溝部は、突出部４１Ａそれぞれを２つの部分に分割する。
【００４７】
キャップ４２が容器本体４１に押し付けられると、内側に突出する部材（図示略）が縁部４４を乗り越えるにしたがって部材４８が第１の実施形態のように凹所４５と係合するまで、スカート部４７は曲げられる。さらに、キャップ４２が容器本体４１に押圧されると、突出部４０Ｃは、縁部４４を乗り越え、いったんキャップ４２が締結方向に回転されると、突出部４０Ｃは、上述した突出部４１Ａの高さに位置される。
【００４８】
キャップ４２が解放方向に回転されると、キャップ４２の突出部４０Ｃは、容器本体４１の突出部４１Ａと係合し、タンパーバンド４０の容器本体４１に対する回転を停止する。したがって、解放方向におけるキャップ４２のさらなる回転により、弱化ブリッジ４０Ａは破断され、キャップ４２の部材４８（図示略）は容器本体４１における縁部４４の凹所４５から出る。そして、キャップ４２は、容器本体４１から取外し自在となる。
【００４９】
タンパーバンド４０は、弱化ブリッジ４０Ａが破断されるとキャップ４２から切り離され、図２１に示すように容器本体４１の首部から容器４１の外径がバンド４０の内径と同じとなる位置にまで下に落ちる。あるいは、バンド４０は、キャップ４２と独立して容器４１の首部から持ち上げられる。
【００５０】
記載された実施形態それぞれにおいて、キャップは、例えば射出成形によりプラスチック材料で形成されてもよい。容器本体は、同様に例えば射出成形及びブロー成形によりプラスチック材料で形成されてもよい。しかしながら、容器本体は、同様にガラスで形成されてもよい。
【００５１】
容器本体の開口部の直径は、例えば一般的にボトルに使用されるように２５〜３０ｍｍの範囲内にあることが好ましい。しかしながら、本発明は、同様に５０ｍｍまでの直径及び（一般的に５０〜８０ｍｍの範囲の直径を有する）広口開口部を含む他のサイズの開口を有する容器に用いられてもよい。
【００５２】
記載された実施形態において、キャップには、容器本体における縁部の４つの凹所と係合するための４つの内方に突出する部材が設けられている。他の実施形態は、より多くまたはより少ない部材及び凹所を用いてもよい。好ましい実施形態は、３、４または５つの部材及び凹所を有する。例えば、４つの部材（及び凹所）は、２５〜３５ｍｍ範囲の直径を有する容器の開口部に用いられてもよく、５つは、３５〜４５ｍｍ範囲の開口部を有する容器に用いられてもよく、そして、６つは、４５〜５５ｍｍ範囲の開口部に用いられてもよい。より多くの部材（及び凹所）は、所定の直径のために用いられるが、（多数の部材それぞれがより小さな距離によって内側に突出部を必要とするが、）数を多くするとキャップのスカート部の可撓性が低くなるだろう
【００５３】
容器は、キャップのスカート部を実質的な多角形状に変形するために２つの分かれたカム作用であって、１つはキャップが容器本体に嵌合するとき、他方はキャップがそれから取り外されるときの２つのカム作用を採用している。第１の場合において、キャップにおける内方突出部材は、キャップが容器本体に圧入されるにつれて、縁部全体にわたって径方向外方に押し出される。第２の場合において、部材は、キャップが容器本体に対して回転するにつれて、縁部の凹所の端部において傾斜部により径方向外方に押し出される。
【００５４】
これにより、上記特徴を有する容器は、容器本体に圧入されることができ、（用いられる突出部材の数に応じて）比較的小さな回転移動により開栓される。４つの部材を有すると、キャップは、容器本体からそれを開放するために９０°未満しか回転する必要がない。さらに、雄ネジを容器本体の首部に設ける必要がない。このため、首部は、例えば従来のガラスボトルの首部のように、滑らかで審美的な魅力的な外観を有する。
【００５５】
キャップは、好ましくはプラスチック材料で形成されており、これにより容器に圧入でき、容器は、首部の外側にネジ部を有する必要がなくなり、キャップは、比較的小さな回転移動により取外し可能となる。任意で、キャップは、ユーザにより再嵌合できるように構成されてもよい。これにより、キャップは、従来の王冠の閉塞並びに従来のネジ山キャップ及びボトル首部の有利点を一体化する。また、キャップは、従来のプラスチックのネジキャップよりも十分に少ない材料しか使用せず、材料コスト及び重量を節約できる。
【図面の簡単な説明】
【００５６】
【図１Ａ】本発明の第１の実施形態における容器であってキャップが嵌合された容器を示す側面図である。
【図１Ｂ】本発明の第１の実施形態における容器であってキャップが取り外された容器を示す側面図である。
【図２】図１Ａの部分拡大図である。
【図３】図２の容器を示す斜視図である。
【図４】本発明における容器の第２の実施形態を示す斜視図であってキャップ及びキャップが嵌合される前の容器本体を示す斜視図である。
【図５】本発明における容器の第２の実施形態を示す斜視図であってどのようにキャップが容器本体に嵌合されるかを示す斜視図である。
【図６】本発明における容器の第２の実施形態を示す斜視図であってどのようにキャップが容器本体から取外されるかを示す斜視図である。
【図７】本発明における容器の第２の実施形態を示す斜視図であってどのようにキャップが容器本体から取外されるかを示す斜視図である。
【図８】容器本体からキャップを取外した後のキャップ及び容器本体を示す図である。
【図９】本発明における容器の第３の実施形態を示す斜視図であってキャップ及びキャップが嵌合される前の容器本体を示す斜視図である。
【図１０】本発明における容器の第３の実施形態を示す下面図であってキャップの下面図である。
【図１１】本発明における容器の第３の実施形態を示す下面図であってどのようにキャップが容器本体に嵌合されるかを示す斜視図である。
【図１２】本発明における容器の第３の実施形態を示す下面図であってどのようにキャップが開栓されるかを示す斜視図である。
【図１３】本発明における容器の第３の実施形態を示す下面図であってどのようにキャップが容器本体に再嵌合されるかを示す斜視図である。
【図１４】本発明における容器の第４の実施形態を示す斜視図であってキャップ及びキャップが嵌合される前の容器本体を示す斜視図である。
【図１５】本発明における容器の第４の実施形態を示す斜視図であって容器本体に嵌合されるときのキャップを示す斜視図である。
【図１６】本発明における容器の第４の実施形態を示す斜視図であって容器本体から取外す第１段階におけるキャップを示す斜視図である。
【図１７】本発明における容器の第４の実施形態を示す斜視図であって容器本体から取外す第２段階におけるキャップを示す斜視図である。
【図１８】本発明における容器の第４の実施形態を示す斜視図であって容器本体から取外した後のキャップを示す斜視図である。
【図１９】本発明における容器の第５の実施形態を示す斜視図であってキャップ及びキャップが嵌合される前の容器本体を示す斜視図である。
【図２０】本発明における容器の第５の実施形態を示す斜視図であって容器本体に嵌合されるときのキャップを示す斜視図である。
【図２１】本発明における容器の第５の実施形態を示す斜視図であって容器本体から取外した後のキャップを示す斜視図である。
【符号の説明】
【００５７】
１，１１，２１，３１，４１  容器，容器本体
２，１２，２２，３２，４２  キャップ，閉塞キャップ
３，２３  開口部
４，１４，２４，３４，４４  縁部，外方突出縁部
４Ａ  上部，表面，湾曲面，上面
５，１５，２５，３５，４５  凹所
５Ａ  上面
５Ｂ  下面，端面
５Ｃ，１５Ｃ，２５Ｃ  端面
６，２６  上部
７，１７，２７，３７，４７  スカート部
８，１８，２８，３８，４８  内側突出部材，部材（突出部材）
８Ａ  上面
８Ｂ  下面
８Ｃ，８Ｄ  端面
１０，２０，３０，４０  タンパーバンド，バンド
１０Ａ，２０Ａ，３０Ａ，４０Ａ  弱化ブリッジ（弱化接続部）
１０Ｂ，２０Ｂ，３０Ｂ  連結バンド，連結部（連結接続部）
１０Ｃ，３０Ｃ，４０Ｃ  突出部
３１Ａ，４１Ａ  突出部
Ａ  軸
【図１Ａ】
2009515788.tif 000003
【図１Ｂ】
2009515788.tif 000004
【図２】
2009515788.tif 000005
【図３】
2009515788.tif 000006
2009515788.tif 000007
【図５】
2009515788.tif 000008
【図６】
2009515788.tif 000009
【図７】
2009515788.tif 000010
【図８】
2009515788.tif 000011
【図９】
2009515788.tif 000012
【図１０】
2009515788.tif 000013
【図１１】
2009515788.tif 000014
【図１２】
2009515788.tif 000015
【図１３】
2009515788.tif 000016
【図１４】
2009515788.tif 000017
【図１５】
2009515788.tif 000018
【図１６】
2009515788.tif 000019
【図１７】
2009515788.tif 000020
【図１８】
2009515788.tif 000021
【図１９】
2009515788.tif 000022
【図２０】
2009515788.tif 000023
【図２１】
2009515788.tif 000024
【国際調査報告】
2009515788.tif 000025
2009515788.tif 000026
2009515788.tif 000027